(57)【要約】  マイクロフォン（１）はマイクロフォンハウジング（５）と、該マイクロフォンハウジング（１５）の最も前の部分の音響変換器（７）と、該音響変換器（７）の背後のマイクロフォンハウジング（５）の内部空間とを具備し、該内部区間用の様々な換気を提供するための機械的なシステム（４，８，６）が設けられる。好ましくは、機械的なシステムはノブ（４）を操作することによって移動可能な内部スリーブ（８）によって形成される。
2005513976.tif 000002
【特許請求の範囲】
【請求項１】
マイクロフォンハウジングと、音源からの音を受ける該マイクロフォンハウジングの前方部の音響電気変換器と、該音響電気変換器の背後にある前記マイクロフォンハウジングの内部空間と、音を表す信号（音響信号）を前記音響電気変換器からマイクロフォンの外にある外部音響信号処理装置に転送する装置とを具備するマイクロフォンであって、前記マイクロフォンハウジングが前記内部空間を可変的に換気する機械的なシステムを有することを特徴とするマイクロフォン。
【請求項２】
前記機械的なシステムが前記音響電気変換器の背後にある前記マイクロフォンハウジングの壁の孔の一群の開度／閉度を選択するシステムであることを特徴とする請求項１に記載のマイクロフォン。
【請求項３】
前記機械的なシステムが前記音響電気変換器と該音響電気変換器の背後で且つ前記マイクロフォンハウジングの壁の内部に配列されたスリーブとの間の距離を調整する装置によって構成されることを特徴とする請求項２に記載のマイクロフォン。
【請求項４】
前記スリーブが外部操作ノブによって前記音響電気変換器に向かって前方向に移動可能であり、これにより、前記孔の所望の部分を閉鎖することを特徴とする請求項３に記載のマイクロフォン。
【請求項５】
前記マイクロフォンハウジングの内側細部が音響減衰および内部エコーの回避を提供する音を減衰させる構造によって覆われていることを特徴とする請求項１に記載のマイクロフォン。
【請求項６】
前記機械的なシステムが交換可能な前面グリルを前記音響電気変換器の正面にさらに具備することを特徴とする請求項１〜５のいずれか１つに記載の歌唱用マイクロフォン。
【請求項７】
マイクロフォンハウジングと、音源からの音を受ける前記マイクロフォンハウジングの前方部の音響電気変換器と、該音響電気変換器の背後にある前記マイクロフォンハウジングの内部空間と、音を表す信号（音響信号）を前記音響電気変換器からマイクロフォンの外にある外部音響信号処理装置に転送する装置とを具備するマイクロフォンであって、前記マイクロフォンハウジングが前記内部空間を換気するために該内部空間を囲む壁に開口または孔を有することを特徴とするマイクロフォン。
【請求項８】
前記開口または孔が格子構造内側の壁の凹部にあり、マイクロフォン周りの開口または孔の範囲を手で握った場合でも内部空間への空気の通路を確保する形状を有していることを特徴とする請求項７に記載のマイクロフォン。
【発明の詳細な説明】
【技術分野】
【０００１】
本発明は、マイクロフォンハウジングと、音源からの音を受ける該マイクロフォンハウジングの前方部の音響電気変換器と、該音響電気変換器の背後にある前記マイクロフォンハウジングの内部空間と、音を表す信号（音響信号）を前記音響電気変換器からマイクロフォンの外にある外部音響信号処理装置に転送する装置とを具備するマイクロフォンであって、前記マイクロフォンハウジングが前記内部空間を可変的に換気する機械的なシステムを有することを特徴とするマイクロフォンに関する。
【発明の開示】
【発明が解決しようとする課題】
【０００２】
特に、歌手などによって使用される従来のマイクロフォンでは、受けた音の電子信号への変換に関して、幾分、都合の悪い特徴を示すことがよくある。このマイクロフォン自体が音を歪ませる効果を伴うエラーの原因を幾らか含んでいると思われる。例えば、マイクロフォン内部の閉じられた空間が反響および内部エコーを上昇させ、このため、後に送信される音を表す信号の質に悪影響を与える。
【課題を解決するための手段】
【０００３】
本発明は、このような従来技術の問題を解決し或いは緩和することを目的とする。この目的のために、本発明の第１の態様では、上記形式のマイクロフォンであって、マイクロフォンハウジングが内部空間を可変的に換気する機械的なシステムを有することを特徴とするマイクロフォンが提供される。
【０００４】
本発明の重要な実施例では、機械的なシステムは、変換器の背後にあるマイクロフォンハウジングの壁の孔の一群の開度／閉度を選択するシステムである。このため、この機械的なシステムは、変換器と変換器の背後で且つマイクロフォンハウジングの壁の内部に配列されたスリーブとの間の距離を調整する装置によって構成されることが好ましい。このスリーブは、外部に配置された操作ノブによって、変換器に向かって前方向に移動可能であり、これにより、上記孔の所望の部分を閉鎖することが好ましい。
【０００５】
さらに、マイクロフォンハウジングの内側細部が、音響減衰および内部エコーの回避を提供する音を減衰させる構造によって覆われていることが好ましい。
また、機械的なシステムが交換可能な前面グリルを変換器の正面にさらに具備してもよい。
【０００６】
本発明の第２の態様によれば、冒頭に記載した形式のマイクロフォンであって、マイクロフォンハウジングは、内部空間を換気するために内部空間を囲む壁に開口または孔を有することを特徴とするマイクロフォンが提供される。
【０００７】
第２の態様によるマイクロフォンの好ましい実施例では、開口または孔は、格子構造内側の壁の凹部にあり、マイクロフォン周りの開口または孔の範囲を手で握った場合でも内部空間への空気の通路を確保する形状を有する。
【０００８】
以下、図面を参照しつつ、非制限的な幾つかの実施形態を説明することにより、本発明をさらに示す。
【発明を実施するための最良の形態】
【０００９】
図１には、本発明のマイクロフォン１の実施例が示されている。このマイクロフォンは、外部の音声処理・増幅装置へのワイヤ接続体２を有する形式であるが、無線送信機およびアンテナを有するベース部分をさらに備えてもよい。マイクロフォンハウジング５はマイクロフォンの握り部を構成し、実質的にベースから上端へ延びるが、多数の開口または孔が周囲全体に配設された領域３を有する。これら孔または開口は、周方向に延びる「リブ」を用いた格子構造内に或る程度くぼむように配設され、この領域の周辺を手で握った場合でさえも空気を外側方向／内側方向に換気する（図３には、内部から見た孔の形状の例が示されている）。上端、すなわち、音源（例えば、マイクロフォンを使用している歌手の口）に最も近い部分には、格子形状の前面グリルがある。マイクロフォンハウジングの側には、ノブ４の付いたスリットがある。
【００１０】
図２では、内側の部品を示すために、外壁、すなわち、マイクロフォンハウジング５が省略されている。前面グリル６の下方には、本実施例では、同一の出願人から共同出願された発明の名称「マイクロフォン」のノルウェー特許出願第２００１５９８５号にも記載された形式の音響変換器７がある。しかしながら、変換器７が、それ自体を空気が透過する可能性のある形式か否かという点を除いて、特殊な形式の変換器を使用することは本発明にとって重要ではない。その結果、第１の例では、マイクロフォンを通過する空気通路が画定され、この空気通路は前面グリル６を始点として、内部空間で前面グリルと変換器との間を延び、さらに変換器７を通って、領域３（図１）へと下方に延び、この領域の孔または開口を介して外側に通じる。
【００１１】
本実施例では、マイクロフォンハウジング５から突出し、スリーブ８が領域３をできるだけ覆い、可能であれば、領域３を完全に覆うようにスリットに沿って移動可能なスライド式ノブ４をスリーブ８に装着することにより、空気通路に影響を与える、すなわち、空気通路に変更を加える可能性がある。
【００１２】
また、変換器要素７自体をその支持レール１０上で、マイクロフォンハウジング５の上部を基準として下方にスライドさせることにより、開口領域３に変更を加える可能性も当然ある。開口領域３もこの方法により減少させることができる（できるだけスリーブ８と変換器７との距離を一定に保持する、すなわち、その結果、両要素は接続された状態で移動する）。
【００１３】
図３は、図２に開示されたマイクロフォンの内部を図２の矢印Ａで示す方向から見た場合の斜視図である。しかしながら、図中の対比をより明確にするために、ベース部分９は図３では省略されている。したがって、スリーブ８内部の最下部を見た場合、最下部より上方には領域３の孔または開口の配列が見え、眼に最も近い上端には、中央部が平坦な円形であり、扇形の区画の他、周囲の支持リムに向かって外側に延びるステーを有する変換器７が見える。変換器７は、図２ではよく見える要素であるが、図３では、左端に部分的に見えるだけである。
【００１４】
移動可能スリーブ８、ベース部分９の上面の他、区画３の格子部も、マイクロフォンに「消音」内部空間を提供するための音を減衰する構造によって覆われている。また、内部部品の形状もこれと同一の目的のために設計される。音を減衰する構造は、フェルト、ゴムまたは緩衝材のような音を吸収する材料によって提供される。また、うろこ形状の繰り返しからなる表面微細構造も使用できる。
【００１５】
また、上記のように、影響を受ける空気通路は、前面グリル６を具備する。図４〜図８では、種々の交換可能前面グリルが示される。すなわち、図４では、図２と同形式の前面グリル６が示され、図５では、前面網が中央に向かって下降する前面グリルが示され、図６では、下降する漏斗形状の前表面を有し、中央凹所に次第に下降する網面を有する前面グリルが示され、図７では、球状の前面グリルが示され、図８では、金属格子を設けず、できれば音響ろ過機能を有する、多孔質で且つ音を透過する材料のみを設けた前面グリルが示される。ここに示された前面グリルは、それぞれ、マイクロフォンを通過し下方に延びる種々の空気通路を提供するとともに、個人の好みおよび強調が要求される音響パラメータに従って選択できる。マイクロフォンのユーザは、試験中に、マイクロフォンの上端／前面グリルによって出される音にどのような違いがあるかを確認することができ、その後、必要に応じて前面グリルを変更できる（衛生面からも、マイクロフォンの上端を変更できることは重要な点であり、さらに、上端を変更することにより、格好または「印象」を必要に応じて変更する可能性が提供される）。
【００１６】
上述では、その内部を通過する空気の通路を設けた変換器７のみを記載した。しかしながら、その前方端で内部空間を閉鎖する変換器を設けた場合でも、本発明による可変換気システムを有することは関心を引くであろう。ハウジング壁の孔領域または開口領域３がないことにより、このマイクロフォンは、圧力室拡声器と比較できる。内部空間に密閉した空気の量は、変換器が振動する能力に影響を及ぼし、変換器の反応を補正する可能性を排除する。しかしながら、本発明の換気システムにより、すなわち、例えば、上述したようなスリーブシステムにより、「後方空間」のための換気の度合は、所定の最大開口から完全な閉止状態までの間で必要に応じて調整可能になろう。このため、マイクロフォンの反応は、必要に応じて調整可能になろう。
【００１７】
最後に、本発明は、完成したマイクロフォンに関する幾つかの発明の１つであることを明記しておかなければならない。この幾つかの発明は、全て、同時に出願された特許出願の主題に基づいてなされた。本発明は、「測距を設けたマイクロフォン」に関するするノルウェー特許出願第２００１５９８５号、「単一プロセッサ装置を設けた歌唱用マイクロフォン」に関するノルウェー特許出願第２００１５９８３号、「交換可能な細部を設けたマイクロフォン」に関するノルウェー特許出願第２００１５９８４号、に言及する。共同出願された出願が説明に適した特徴または本発明のすべての特徴を示す程度まで、このような出願を参照により本明細書に引用する。
【図面の簡単な説明】
【００１８】
【図１】本発明のマイクロフォンの実施例を示す。
【図２】図１と同一であるが、内部部品を開示するためにマイクロフォンハウジングが省略されているマイクロフォンを示す。
【図３】図２のマイクロフォンの内部を示す斜視図を示す。
【図４】本発明のマイクロフォンのための前面グリルを示す。
【図５】本発明のマイクロフォンのための前面グリルを示す。
【図６】本発明のマイクロフォンのための前面グリルを示す。
【図７】本発明のマイクロフォンのための前面グリルを示す。
【図８】本発明のマイクロフォンのための前面グリルを示す。
【図１】
2005513976.tif 000003
【図２】
2005513976.tif 000004
【図３】
2005513976.tif 000005
【図４】
2005513976.tif 000006
【図５】
2005513976.tif 000007
【図６】
2005513976.tif 000008
【図７】
2005513976.tif 000009
【図８】
2005513976.tif 000010
【国際調査報告】
2005513976.tif 000011
2005513976.tif 000012